(57)【要約】【課題】プロジェクタ検査用の調整補助装置であって、市場要求に応じて迅速に配備することができ、かつ、増設コストが低廉であり、さらに、配備のためのスペースを小さくできる検査補助装置を提供すること。【解決手段】プロジェクタ１００の調整補助装置８であって、暗室１０と、プロジェクタ１００を載置するための載置面を有する検査用架台３０を有し、暗室１０は、スクリーン５０が配置されるスクリーン配置部１６と、スクリーン配置部１６に対向する作業用開口１１と、側壁部と、底部と、天井部と、を有し、スクリーン５０の受光面の最下部は底部１４にほぼ接する位置に位置し、受光面は、底部１４に対して９０度よりも大きい第１傾斜角で傾斜しており、載置面は、受光面に対して９０度となるように第２傾斜角で傾斜しており、スクリーン配置部１６の高さは、スクリーン５０を配置したときの高さによって規定されている。【選択図】図１
2007249147.tif 000002
【特許請求の範囲】
【請求項１】
プロジェクタの調整補助装置であって、
暗室と、前記プロジェクタを載置するための載置面を有する検査用架台を有し、
前記暗室は、
スクリーンが配置されるスクリーン配置部と、
前記スクリーン配置部に対向する作業用開口と、
側壁部と、
底部と、
天井部と、
を有し、
前記スクリーンの受光面の最下部は前記底部にほぼ接する位置に位置し、
前記受光面は、前記底部に対して９０度よりも大きい第１傾斜角で傾斜しており、
前記載置面は、前記受光面に対して９０度となるように第２傾斜角で傾斜しており、
前記スクリーン配置部の高さは、前記スクリーンを配置したときの高さによって規定さ
れていることを特徴とする調整補助装置。
【請求項２】
前記第１傾斜角は、前記プロジェクタの焦点距離、及び、前記受光面の最下部から前記
プロジェクタの投射レンズまでの距離に基づいて規定されることを特徴とする請求項１に
記載の調整補助装置。
【請求項３】
前記底部から前記投射レンズまでの高さは、調整担当者の身長によって規定されること
を特徴とする請求項１に記載の調整補助装置。
【請求項４】
前記底部から前記作業用開口までの高さは、調整担当者の身長によって規定されること
を特徴とする請求項１に記載の調整補助装置。
【請求項５】
前記底部から前記作業用開口までの高さは、調整担当者が前記受光面を観測するための
観測用開口を確保することができる高さとして規定されることを特徴とする請求項１に記
載の調整補助装置。
【発明の詳細な説明】
【技術分野】
【０００１】
本発明は、プロジェクタの調整において使用される調整補助装置に関するものである。
【背景技術】
【０００２】
従来、プロジェクタからスクリーンに投射された投射像を観測して、プロジェクタ内部
の部品の位置の調整が行われている。
このような調整には、例えば、光軸の調整やコントラストの調整等がある。これらの調
整の精度を確保するために、これらの調整は外部からの光による外乱を遮断することがで
きる暗室において行われる。この暗室と、プロジェクタを載置する検査用架台（作業机と
も呼ぶ）から調整補助装置が構成される。
これらの調整補助装置は、多種の検査を行う工程ごとに必要であるため、検査の種類に
応じて多数必要である。このため、プロジェクタ製造工場において、調整補助装置のため
に大きなスペースが必要となるという問題がある。
これに対して、収束レンズ、透過型スクリーン、ＣＣＤカメラを備えた小型の検査補助
装置が提案されている（例えば、特許文献１）。
【０００３】
【特許文献１】特開２００４−４５６２号公報
【発明の開示】
【発明が解決しようとする課題】
【０００４】
ところで、現在の激しく変動する市場要求に応じるために、製造ラインを迅速に増設す
る必要がある。このとき、プロジェクタの検査用の調整補助装置も増設する必要がある場
合がある。
しかし、上述の技術においては、例えば、収束レンズ、透過型スクリーン、ＣＣＤカメ
ラという部材を調達する必要があり、迅速に調整補助装置を増設できない場合がある。ま
た、多数の調整補助装置を増設するための収束レンズ等の部材の調達コストが過大となる
場合がある。
【０００５】
そこで、本発明は、プロジェクタ検査用の調整補助装置であって、市場要求に応じて迅
速に配備することができ、かつ、増設コストが低廉であり、さらに、配備のためのスペー
スを小さくできる調整補助装置を提供することを目的とする。
【課題を解決するための手段】
【０００６】
前記目的は、第１の発明によれば、プロジェクタの調整補助装置であって、暗室と、前
記プロジェクタを載置するための載置面を有する検査用架台を有し、前記暗室は、スクリ
ーンが配置されるスクリーン配置部と、前記スクリーン配置部に対向する作業用開口と、
側壁部と、底部と、天井部と、を有し、前記スクリーンの受光面の最下部は前記底部にほ
ぼ接する位置に位置し、前記受光面は、前記底部に対して９０度よりも大きい第１傾斜角
で傾斜しており、前記載置面は、前記受光面に対して９０度となるように第２傾斜角で傾
斜しており、前記スクリーン配置部の高さは、前記スクリーンを配置したときの高さによ
って規定されていることを特徴とする調整補助装置により達成される。
【０００７】
第１の発明の構成によれば、前記スクリーンの受光面の最下部は前記底部にほぼ接する
位置に位置する。
そして、前記受光面は、前記底部に対して９０度よりも大きい第１傾斜角で傾斜してい
るから、前記底部から前記スクリーンまでの高さは、前記受光面が垂直な状態で配置され
た場合よりも低くなることを意味する。
また、前記載置面は、前記受光面に対して９０度となるように第２傾斜角で傾斜してい
る。このため、前記プロジェクタ及び前記スクリーンを水平状態においたときと同様の状
態で、前記受光面は前記プロジェクタからの投射光を受けることができるから、投射像が
歪むことはない。
上述のように、前記スクリーンの受光面の最下部は前記底部にほぼ接する位置に位置し
、かつ、前記受光面は、前記底部に対して９０度よりも大きい第１傾斜角で傾斜している
から、前記底部から前記スクリーンの上部までの高さは低く抑えられている。
そして、前記スクリーン配置部の高さは、前記スクリーンを配置したときの高さによっ
て規定されているから、前記スクリーンの高さに対応して低くなっている。
前記調整補助装置は、その大きさ及び形状を規定するだけで構成でき、収束レンズや透
過型スクリーン、ＣＣＤカメラ等の部材を調達する必要はないから、市場要求に応じて迅
速に配備することができ、かつ、増設コストが低廉である。
このように、前記検査装置は、市場要求に応じて迅速に配備することができ、かつ、増
設コストが低廉であり、さらに、配備のためのスペースを小さくできる。
【０００８】
第２の発明は、第１の発明の構成において、前記第１傾斜角は、前記プロジェクタの焦
点距離、及び、前記受光面の最下部から前記プロジェクタの投射レンズまでの距離に基づ
いて規定されることを特徴とする調整補助装置である。
【０００９】
第２の発明の構成によれば、前記プロジェクタによる投射画像は、歪むことがない。
【００１０】
第３の発明は、第１の発明の構成において、前記底部から前記投射レンズまでの高さは
、調整担当者の身長によって規定されることを特徴とする調整補助装置である。
【００１１】
第３の発明の構成によれば、前記投射レンズの周辺の部品を調整する調整担当者の作業
効率が向上する。
【００１２】
第４の発明は、第１の発明の構成において、前記底部から前記作業用開口までの高さは
、調整担当者の身長によって規定されることを特徴とする調整補助装置である。
【００１３】
第４の発明の構成によれば、前記作業用開口から前記暗室内の前記スクリーンの投射像
を観測する調整担当者の作業効率が向上する。
【００１４】
第５の発明は、第１の発明の構成において、前記底部から前記作業用開口までの高さは
、調整担当者が前記受光面を観測するための観測用開口を確保することができる高さとし
て規定されることを特徴とする調整補助装置である。
【００１５】
第５の発明の構成によれば、前記作業用開口の高さを低く抑えることができる。
【発明を実施するための最良の形態】
【００１６】
以下、この発明の好適な実施の形態を添付図面等を参照しながら、詳細に説明する。
尚、以下に述べる実施の形態は、本発明の好適な具体例であるから、技術的に好ましい
種々の限定が付されているが、本発明の範囲は、以下の説明において特に本発明を限定す
る旨の記載がない限り、これらの態様に限られるものではない。
【００１７】
（第１の実施の形態）
図１は、本発明の第１の実施の形態に係る検査装置８を示す概略側面図である。検査装
置８は、後述のプロジェクタ１００（図６参照）の投射像を検査して、内部の部品を調整
するための調整補助装置である。すなわち、検査装置８は、調整補助装置の一例である。
図２は、検査装置８を示す概略平面図である。
図３は、暗室１０を示す概略斜視図である。暗室１０は、暗室の一例である。
図４は、作業机３０等を示す概略図である。
図５は、遮光板３２等を示す概略図である。
検査装置８においては、プロジェクタ１００からスクリーン５０（図１等参照）に投射
された投射画像を観測して、光軸が合っているか否か等を検査する。その検査結果によっ
て、プロジェクタ１００内部の部品の位置等を調整する。検査装置８においては、また、
投射像のコントラストを観測して、コントラストが許容範囲外であれば、プロジェクタ１
００内部の部品の位置等を調整する。
【００１８】
（プロジェクタ１００の構成について）
図６は、検査装置８において検査の対象となるプロジェクタ１００の概観の一例を示す
概略斜視図である。
図７は、プロジェクタ１００を構成する光学ユニット４の主な部品を示す概略図である
。
まず、プロジェクタ１００の構成を簡単に説明する。
【００１９】
図６に示すように、プロジェクタ１００は筐体１００ａと投射レンズ１００ｂ等を有す
る。
図７に示すように、プロジェクタ１００の光学ユニット４は、インテグレータ照明光学
系４１、色分離光学系４２、リレー光学系４３、光変調光学系及び色合成光学系を一体化
した光学装置（光学装置）４４、及び、投射レンズ１００ｂを有する。
【００２０】
インテグレータ照明光学系４１は、光学装置４４を構成する３枚の液晶パネル４４１（
赤、緑、青の色光ごとにそれぞれ液晶パネル４４１Ｒ，４４１Ｇ，４４１Ｂとする）の画
像形成領域を略均一に照明するための光学系である。インテグレータ照明光学系４１は、
光源装置４１１、第１レンズアレイ４１２、第２レンズアレイ４１３、偏光変換素子４１
４、及び重畳レンズ４１５を備える。
【００２１】
色分離光学系４２は、２枚のダイクロイックミラー４２１，４２２と、反射ミラー４２
３を有する。ダイクロイックミラー４２１，４２２は、インテグレータ照明光学系４１か
ら射出された複数の部分光束を赤（Ｒ）、緑（Ｇ）、青（Ｂ）の３色の色光に分離する機
能を有している。
【００２２】
リレー光学系４３は、入射側レンズ４３１と、リレーレンズ４３３と、反射ミラー４３
２，４３４とを備え、色分離光学系４２で分離された色光である赤色光を液晶パネル４４
１Ｒまで導く機能を有している。
【００２３】
光学装置４４は、入射された光束を画像情報に応じて変調してカラー画像を形成する機
能を有する。光学装置４４は、色分離光学系４２で分離された各色光が入射される３つの
入射側偏光板４４２と、各入射側偏光板４４２の後段に配置される光変調装置としての液
晶パネル４４１Ｒ，４４１Ｇ，４４１Ｂと、各液晶パネル４４１Ｒ，４４１Ｇ，４４１Ｂ
の後段に配置される射出側偏光板４４３と、色合成光学系としてのクロスダイクロイック
プリズム４４４（以後、「プリズム４４４」と呼ぶ）を有する。
【００２４】
各液晶パネル４４１Ｒ，４４１Ｇ，４４１Ｂは、例えば、ポリシリコンＴＦＴをスイッ
チング素子として用いたものである。
入射側偏光板４４２は、色分離光学系４２で分離された各色光のうち、一定方向の変更
光のみ透過させ、その他の光束を吸収するものである。入射側偏光板４４２は、サファイ
アガラス等の基板に偏光膜が貼付されたものである。
射出側偏光板４４３も、入射側偏光板４４２と略同様に構成され、液晶パネル４４１（
４４１Ｒ，４４１Ｇ，４４１Ｂ）から射出された光束のうち、所定方向の偏光光のみ透過
させ、他の光束を吸収するものである。
入射側偏光板４４２と射出側偏光板４４３は、互いの偏光軸の方向が直交するように設
定されている。
【００２５】
プリズム４４４は、射出側偏光板４４３から射出され、各色光ごとに変調された光学像
を合成してカラー画像を形成するものである。
プリズム４４４には、赤色光を反射する誘電体多層膜と青色光を反射する誘電体多層膜
とが、４つの直角プリズムの界面に沿って略Ｘ字状に設けられ、これらの誘電体多層膜に
よる３つの色光が合成される。
【００２６】
投射レンズ１００ｂは、光学装置４４のプリズム４４４で合成されたカラー画像を拡大
して、外部のスクリーン５０に投射するものである。
図２に示すように、投射レンズ１００ｂから投射される光束は、次第に広がってスクリ
ーン５０に到達する。
検査装置８においては、プロジェクタ１００の筐体１００ａを外した状態（半製品の状
態）で、光軸の検査及びコントラストの検査を行う。
重畳レンズ４１５及びリレーレンズ４３３の光軸、及び、反射ミラー４３２，４３４に
て反射された光束の光軸が、所定の照明光軸に合致している場合（以下、「光軸が合致し
ている場合」と呼ぶ）には、スクリーン５０には、白色のみの像が形成される。ところが
、光軸が合致していない場合には、スクリーン５０には、白色のみの像ではなくて、着色
領域が形成される。具体的には、青の光軸がずれていれば、スクリーン５０には黄色の像
として現れる。緑の光軸がずれていれば、スクリーン５０にはマゼンタの像として現れる
。赤の光軸がずれていれば、スクリーン５０にはシアンの像として現れる。スクリーン５
０の像の色を観測して、重畳レンズ４１５等の位置や設置角度を調整することを光軸調整
と呼ぶ。
入射側偏光板４４２と射出側偏光板４４３の位置や設置角度によっては、光束を遮断で
きない場合がある。そこで、コントラスト調整においては、スクリーン５０の中心に配置
した照度計（図示せず）の値を見ながら、最も値が小さくなるように、入射側偏光板４４
２と射出側偏光板４４３の位置や角度を調整する。
【００２７】
（検査装置８の構造）
図１に示すように、検査装置８は、暗室１０と作業机３０を有する。作業机３０は、検
査用架台の一例である。図１及び図４に示すように、作業机３０は、中間部材３０Ａ、下
部部材３０Ｂ及び上部部材３０Ｃを有する。プロジェクタ１００は、上部部材３０Ｃの載
置面３０Ｃａに載置される。載置面３０Ｃａ（図４参照）は、載置面の一例である。載置
面３０Ｃａは、暗室１０の底部１４と平行な面に対して、２０度傾斜している。
【００２８】
図１乃至図３に示すように、暗室１０は、スクリーン５０が配置されるスクリーン配置
壁１６を有する。スクリーン配置壁１６は、スクリーン配置部の一例である。
図１（ａ）に示すように、スクリーン５０は支持台５０ｂに支持され、受光面５０ａの
最下部は、底部１４にほぼ接する位置に位置する。受光面５０ａは、底部１４と平行な面
Ｈに対して、１１０度の傾斜を有している。
【００２９】
図１（ｂ）は、受光面５０ａの傾きの規定方法を説明するための図である。
図１（ｂ）に示すように、底部１４と平行な面Ｈに対する受光面５０ａの傾きθ２は、
プロジェクタ１００の焦点距離Ｌ１を示す直線の面Ｈに対する傾きθ１によって規定され
る。すなわち、傾きθ１に９０度を加えた角度がθ２である。
この傾きθ１は、焦点距離Ｌ１及び高さｄ２ａによって規定される。図１（ｂ）に示す
ように、高さｄ２ａ及び焦点距離Ｌ１が定まれば、角度θ１は定まる。高さｄ２ａは、受
光面５０ａの最下部から投射レンズ１００ｂまでの距離である。
従って、角度θ２もまた、高さｄ２ａ及び焦点距離Ｌ１によって規定されることを意味
する。
【００３０】
焦点距離Ｌ１は、プロジェクタ１００の機種によって決まっている。
底部１４から投射レンズ１００ｂまでの高さｄ２は、検査装置８を使用する調整担当者
の身長によって規定される。例えば、調整担当者の身長が１７０ｃｍであれば、その調整
担当者が楽に手を使って作業することができる高さｄ２は、９３ｃｍである。
なお、高さｄ２は、底部１４から受光面５０ａの最下部までの高さｄ２ｂに、上述の高
さｄ２ａを加えた高さである。
【００３１】
暗室１０は、作業用開口１１を有する。作業用開口１１は、スクリーン配置壁１６に対
向して配置されている。作業用開口１１は、作業用開口の一例である。
底部１４から作業用開口１１の高さｄ４は、調整担当者の身長によって規定される。調
整担当者の身長が１７０ｃｍであれば、高さｄ４は、調整担当者が直立したまま楽に暗室
１０の内部及びスクリーン５０を観測することができるための必要十分な高さとして規定
されており、例えば、１６０ｃｍである。
【００３２】
作業用開口１１には遮光カーテン１２（図３参照）が配置されており、検査目的に応じ
て開閉される。具体的には、光軸調整時には遮光カーテン１２を開放する。そして、コン
トラスト調整時には、遮光カーテン１２を閉鎖する。
遮光カーテン１２は、入射用開口１２ａを有する。入射用開口１２ａは、プロジェクタ
１００の投射レンズ１００ｂからの投射光Ｓ（図１参照）を通過させるための構成である
。
【００３３】
上述のように、作業机３０の載置面３０Ｃａの傾斜角度θ３（図４参照）は２０度であ
るが、この角度θ３は、載置面３０Ｃａが受光面５０ａに対して９０度になるように規定
されている。載置面３０Ｃａの傾斜角度θ３は、第２傾斜角の一例である。
【００３４】
作業用開口１１とスクリーン配置壁１６との距離ｄ１（図１参照）は、プロジェクタ１
００がスクリーン５０に対して、投射光Ｓを投射して像を形成するために必要な距離とし
て規定されている。
そして、スクリーン配置壁１６の高さｄ３は、スクリーン５０を配置したときの高さに
よって規定されている。
【００３５】
また、暗室１０は、側壁１８Ａ及び１８Ｂ、底部１４及び天井２０を有する。側壁１８
Ａ及び１８Ｂは側壁部の一例である。底部１４は底部の一例である。天井２０は天井部の
一例である。
【００３６】
作業机３０には、遮光板３２（図４及び図５参照）が配置されている。
図５に示すように、遮光板３２は、入射孔３２ａを有する。
また、遮光板３２は、光の反射を防止する性質を有する。
この入射孔３２ａの位置はプロジェクタ１００が作業机３０に配置されたときに、投射
レンズ１００ｂと対応するようになっている。具体的には、投射レンズ１００ｂの先端部
分は遮光板３２と接する。そして、投射光Ｓは入射孔３２ａを通過して、暗室１０内部に
侵入する。
図５に示すように、遮光板３２の形状は、遮光カーテン１２の入射用開口１２ａよりも
大きい。そして、作業机３０にプロジェクタ１００が配置された状態において、遮光板３
２と遮光カーテン１３は接している。このため、入射用開口１２ａの形状を投射レンズ１
００ｂの形状よりも大きく形成した場合であっても、遮光板３２によって、外部の光が暗
室１０内に侵入することを防止することができる。
【００３７】
図１に示すように、スクリーン５０の受光面５０ａは、底部１４にほぼ接する位置に位
置する。
【００３８】
検査装置８は、上述のように構成されている。
プロジェクタ１００からスクリーン５０に投射された投射像を観測して行う検査におい
ては、暗室１０は投射光が通過できれば十分である。そして、プロジェクタ１００は、会
議室等でのプレゼンテーションに使用されるという用途を有する。そして、例えば、会議
室の机にプロジェクタ１００を載置してスクリーンに投射像を形成するときに、その机よ
りも低い位置に像を形成すると、会議の参加者がその投射像を見ることは困難である。そ
のため、その投射像を形成するスクリーンの大部分は、プロジェクタ１００の投射レンズ
１００ｂよりも上部に位置する。
これに対して、プロジェクタ１００の製造工程においては、会議室等においてプレゼン
テーションをするわけではないから、スクリーン５０をプロジェクタ１００の投射レンズ
１００ｂよりも上部に位置するようにする必要はない。
この点、検査装置８においては、スクリーン５０の受光面５０ａの最下部は底部１４に
ほぼ接する位置に位置する。このため、スクリーン５０は、投射レンズ１００ｂよりも低
い位置に位置することになる。
そして、スクリーン５０は、底部１４に平行な面Ｈに対して９０度よりも大きい傾斜角
θ２で傾斜して配置されているから、スクリーン５０の高さは、スクリーン５０が垂直に
配置される場合よりも低くなる。
上述のように、スクリーン５０の受光面５０ａの最下部は底部１４にほぼ接する位置に
位置し、かつ、受光面５０ａは、底部１４に対して９０度よりも大きい傾斜角θ２で傾斜
していることによって、底部１４からスクリーン５０の上部までの高さは低く抑えられて
いる。
そして、スクリーン配置壁１６の高さｄ３は、スクリーン５０を配置したときの高さに
よって規定されているから、暗室１０のスクリーン配置壁１６側の高さは最低にすること
ができる。
また、受光面５０ａは、底部１４と平行な面Ｈに対して９０度よりも大きい角度θ２で
傾斜している。そして、載置面３０Ｃａは、受光面５０ａに対して９０度となるように傾
斜角θ３で傾斜している。このため、プロジェクタ１００及びスクリーン５０を水平状態
においたときと同様の状態で、受光面５０ａはプロジェクタ１００からの投射光を受ける
ことができるから、投射像が歪むことはない。このため、検査装置８によって、光軸調整
等の検査目的を達成することができる。
検査装置８は、その大きさ及び形状を規定するだけで構成でき、収束レンズや透過型ス
クリーン、ＣＣＤカメラ等の部材を調達する必要はないから、市場要求に応じて迅速に配
備することができ、かつ、増設コストが低廉である。
このように、検査装置８は、市場要求に応じて迅速に配備することができ、かつ、増設
コストが低廉であり、さらに、配備のためのスペースを小さくできる。
【００３９】
また、受光面５０ａの傾斜角θ２は、プロジェクタ１００の焦点距離Ｌ１、及び、底部
１４から投射レンズ１００ｂとの距離ｄ２とに基づいて規定されるから、確実に、プロジ
ェクタ１００による投射像が歪まないようにすることができる。
【００４０】
また、投射レンズ１００ｂの高さｄ２は、調整担当者の身長によって規定されるから、
投射レンズ１００ｂの周辺の部品を調整する調整担当者の作業効率が向上する。
【００４１】
さらに、作業用開口１１の高さは、調整担当者の身長によって規定されるから、作業用
開口１１から暗室１０内のスクリーン５０の投射像を観測する調整担当者の作業効率が向
上する。
【００４２】
（第２の実施形態）
次に、第２の実施形態の検査装置８Ａについて説明する。第２の検査装置８Ａの構成は
、上記第１の実施形態の検査装置８と多くの構成が共通するため共通する部分は同一の符
号等とし、説明を省略し、以下、相違点を中心に説明する。
【００４３】
図８は、検査装置８Ａを示す概略図である。
図８に示すように、作業用開口１１の高さｄ４は、投射レンズ１００ｂの高さｄ２と、
観測用開口１１ａを確保することができる高さとして規定されている。
このため、暗室１０の作業用開口１１の高さｄ５を最低にすることができる。
【００４４】
本発明は、上述の各実施の形態に限定されない。さらに、上述の各実施の形態は、相互
に組み合わせて構成するようにしてもよい。
【図面の簡単な説明】
【００４５】
【図１】本発明の実施の形態に係る検査装置を示す概略側面図。
【図２】検査装置の概略平面図。
【図３】暗室を示す概略斜視図。
【図４】作業机等を示す概略図。
【図５】遮光板等を示す概略図。
【図６】プロジェクタの概観の一例を示す概略斜視図。
【図７】プロジェクタを構成する光学ユニットの主な部品を示す概略図。
【図８】検査装置を示す概略側面図。
【符号の説明】
【００４６】
８，８Ａ…検査装置、１０…暗室、１１…作業用開口、１４…底部、１６…スクリーン
配置壁、１８Ａ，１８Ｂ…側壁、２０…天井、３０…作業机、３０Ｃａ…載置面、５０…
スクリーン、５０ａ…受光面、１００…プロジェクタ、１００ｂ…投射レンズ。
【図１】
2007249147.tif 000003
【図２】
2007249147.tif 000004
【図３】
2007249147.tif 000005
【図４】
2007249147.tif 000006
【図５】
2007249147.tif 000007
【図６】
2007249147.tif 000008
【図７】
2007249147.tif 000009
【図８】
2007249147.tif 000010